(57)【要約】      （修正有）【課題】遊技中にセンター役物内部の設定を変化させることなく、大当たり状態終了後に引き続き遊技を継続させるに十分に有利な特典を遊技者に与える。【解決手段】左右に開閉する入球口２３が夫々形成されたセンター役物４を設け、該センター役物内には特別入賞口と普通入賞口が設けられ、入球口が継続的に繰り返し開閉し大当たり状態を招来させる。遊技盤の左側領域に始動入賞口５を設け、右側領域には電動開閉始動口７を設け、遊技球が入賞することにより前記センター役物の左右の入球口が短時間だけ開動するように制御すると共に、前記電動開閉始動口は大当たり状態が終了した後の一定期間だけ頻繁に開動するよう制御し、さらに前記センター役物は右側２３ｂから入球した遊技球の方が左側２３ａから入球した遊技球よりも容易に特別入賞口に入賞し得るように該センター役物の内部構造を設定した。【選択図】図１
2007307208.tif 000002
【特許請求の範囲】
【請求項１】
左側および右側に電動羽根によって開閉する入球口が夫々形成されたセンター役物を遊技盤の中央に設け、該センター役物内には特別入賞口と普通入賞口が設けられ、前記入球口から入球した遊技球が該特別入賞口に入賞すると前記入球口が継続的に繰り返し開閉し大当たり状態を招来させるパチンコ遊技機において、
遊技球が流下する遊技盤の左側領域に始動入賞口を設け、遊技球が流下する遊技盤の右側領域には電動開閉始動口を設け、前記始動入賞口または電動開閉始動口に遊技球が入賞することにより前記センター役物の左側および右側の入球口が短時間だけ開動するように制御すると共に、前記電動開閉始動口は大当たり状態が終了した後の一定期間だけ頻繁に開動するよう制御し、
さらに前記センター役物は右側の入球口から入球した遊技球の方が左側の入球口から入球した遊技球よりも容易に特別入賞口に入賞し得るように該センター役物の内部構造を設定したことを特徴とするパチンコ遊技機。
【請求項２】
遊技盤のセンター役物よりも上部領域の中央に釘を複数本竪方向に並設することにより外レールとの間に少なくとも遊技球１個分の通過間隙が隔てられた障壁を形成し、該外レールに沿って該遊技盤の上部領域に飛翔することで該外レールの下面から離れることなく到来した遊技球のみが該通過間隙を通過することにより遊技盤の右側領域に導かれるようにしたことを特徴とする請求項１に記載したパチンコ遊技機。
【発明の詳細な説明】
【技術分野】
【０００１】
本発明は、センター役物の中に設けられた特別入賞口に遊技球が入賞することにより大当たり状態を招来させるパチンコ遊技機に関するものである。
【背景技術】
【０００２】
「ヒコーキ」，「羽根物」等と称されている第２種パチンコ遊技機は、周知のように、遊技盤の中央にセンター役物（大入賞口とも称される）が設けられ、該センター役物の両側に電動羽根によって開閉動する一対の入球口が形成され、所定の始動口に遊技球が入賞すると、ソレノイドが作動して該電動羽根が煽動し該入球口が１回ないし２回開き、遊技盤面を流下する遊技球が該入球口に入り得るように構成され、該センター役物内にはさらにＶゾーンと称される特別入賞口が設けられ、該センター役物に入った遊技球がこの特別入賞口に入賞すると大当たり状態が招来し、先ず第１ラウンドが始まることで前記電動羽根が継続的に煽動して該入球口が繰り返し開閉し、該センター役物内に遊技球が１０個入るか、もしくは入球口が１８回開閉するとこの第１ラウンドが終り、この第１ラウンドの間に該センター役物に入球した遊技球の内少なくとも１個が特別入賞口に入賞していた場合は、第２ラウンドが開始されて第１ラウンドと同様に該入球口の開閉がさらに繰り返され、以下同様に最高で第１６ラウンドまで繰り返され、このような大当たり状態の間に多数の賞球が遊技者に払い出されるように構成したものである。なお、下記特許文献１はこの種のパチンコ遊技機を例示するものである。
【特許文献１】特開２００３−３１０９３５号公報
【特許文献２】特開２００４−３３４２８号公報
【発明の開示】
【発明が解決しようとする課題】
【０００３】
ところで、この種のパチンコ遊技機では大当たり状態が終了した後でも遊技者が引き続き遊技を継続することを意図して例えば「時短」と称されるような何らかの特典が付与されるようにしている。この「時短」は、所謂チューリップ等の電動開閉入賞装置からなる始動口に遊技球が頻繁に入賞し得るように図柄表示器の図柄変動時間が通常時よりも短縮されるようにするものである。
しかしながら「時短」は、センター役物に入球した遊技球の特別入賞口への入賞の確率を向上させるものではなく、その入球口を頻繁に開動するにすぎないものであったので、遊技者をして遊技を継続させるに十分な特典であるとは言えないものであった。
なお、上記特許文献２に示されたようなセンター役物を用い、大当たり状態終了後にセンター役物内部の遊技球誘導通路を可動させ特別入賞口へ遊技球が入賞し易いようにすることも従来から考えられていたが、このようにセンター役物内部の入賞率を変化させる方法では、遊技者が役物内部の動きに合わせて遊技球を発射し、所謂止め打ちをするようになることから、遊技者の間で技術力の差が出てしまい不公平感が生まれ易いという問題がある。
本発明は、このような課題を解決し得るパチンコ遊技機を提供しようとするものである。
【課題を解決するための手段】
【０００４】
そのために請求項１に記載した発明は、左側および右側に電動羽根によって開閉する入球口が夫々形成されたセンター役物を遊技盤の中央に設け、該センター役物内には特別入賞口と普通入賞口が設けられ、前記入球口から入球した遊技球が該特別入賞口に入賞すると前記入球口が継続的に繰り返し開閉し大当たり状態を招来させるパチンコ遊技機において、遊技球が流下する遊技盤の左側領域に始動入賞口を設け、遊技球が流下する遊技盤の右側領域には電動開閉始動口を設け、前記始動入賞口または電動開閉始動口に遊技球が入賞することにより前記センター役物の左側および右側の入球口が短時間だけ開動するように制御すると共に、前記電動開閉始動口は大当たり状態が終了した後の一定期間だけ頻繁に開動するよう制御し、さらに前記センター役物は右側の入球口から入球した遊技球の方が左側の入球口から入球した遊技球よりも容易に特別入賞口に入賞し得るように該センター役物の内部構造を設定したことを特徴とする。
また、請求項２に記載した発明は上記パチンコ遊技機において、遊技盤のセンター役物よりも上部領域の中央に釘を複数本竪方向に並設することにより外レールとの間に少なくとも遊技球１個分の通過間隙が隔てられた障壁を形成し、該外レールに沿って該遊技盤の上部領域に飛翔することで該外レールの下面から離れることなく到来した遊技球のみが該通過間隙を通過することにより遊技盤の右側領域に導かれるようにしたことを特徴とする。
なお、請求項１に記載した発明は、より具体的には、遊技球が流下する遊技盤の右側領域に通過ゲートおよび電動開閉始動口を設け、始動入賞口または電動開閉始動口に遊技球が入賞することによりセンター役物の左側および右側の入球口が短時間だけ開動するように制御すると共に、前記通過ゲートを遊技球が通過することにより変動開始する図柄表示器を設け、該図柄表示器が所定の図柄で変動停止すると前記電動開閉始動口が開動するように制御し、かつ該図柄表示器は大当たり状態が終了した後の一定期間だけ変動時間短縮モードに従い制御されて図柄変動時間が通常時よりも短縮されることで前記電動開閉始動口が頻繁に開動するようにしたことを特徴とする。
【発明の効果】
【０００５】
本発明に係るパチンコ遊技機によれば、大当たり状態終了後に引き続き遊技を継続させるに十分に有利な特典を遊技者に与え得る。しかも、遊技中にセンター役物内部の設定を変化させることなく、右打ちのみで有利な特典が平等に与えられるので、止め打ちすることを誘発させず、個々の遊技者の持つ技術力の差によって不公平が生じるおそれもない。
【発明を実施するための最良の形態】
【０００６】
次に本発明に係るパチンコ遊技機の実施形態を図面に従い説明する。図１は本発明に係るパチンコ遊技機の遊技盤の正面図を示す。該遊技盤１は、打球発射装置（図示せず）から発射された遊技球を誘導するために前面に環状の外レール２と環状の内レール３が設けられ、その内側の遊技領域の中央にセンター役物４が設けられている。また、５は遊技球が流下する遊技盤の左側領域に設けられた始動入賞口、６は遊技球が流下する遊技盤の右側領域に設けられた通過ゲート、７は同じく遊技盤の右側領域で該通過ゲートの下側に設けられソレノイドの作動により一対の翼片が開閉動するように構成された所謂チューリップ型の電動開閉始動口である。なお、８は遊技盤の左側領域に設けられた普通入賞口、９は遊技盤の下部領域に設けられた普通入賞口、１０ａ〜１０ｃは風車、１１は遊技盤の下部に設けられたアウト球排出口である。また、１２は遊技盤の左側領域の外縁部に設けられた７セグメント表示器からなる図柄表示器、１３は該図柄表示器の周囲に設けられた４つのＬＥＤ表示ランプからなる保留数表示ランプである。
【０００７】
センター役物４は、図２に拡大図を示し、図３にそのＡ−Ａ線断面図、図４にＢ−Ｂ線断面図、図５に要部断面斜視図を示す。１４は該センター役物４を遊技盤１の前面に固着させる取付基板で、該取付基板１４の前面に透明プラスチック板からなる枠体１５が突設され、該枠体の背後に箱体１９を固着することにより遊技室１６が形成され、該遊技室の後側正面壁１７には狸を模した人形１８を前方突出状に形成している。取付基板１４の前面で枠体１５の上部には枠体１５の上辺１５ａより球流入用の間隔を離して突出板部３９が形成され、該突出板部の前面にドットマトリックス表示器２０および７セグ表示器２１が設けられる。そして、該枠体１５の上辺１５ａの両サイドに電動羽根２２ａ，２２ｂによって開閉する入球口２３ａ，２３ｂを夫々形成する。該電動羽根２２ａ，２２ｂは図３にその一方が示されたように夫々回転自在に支持された回動軸２４ａ，２４ｂの先端に設けられ、該回動軸の後端部にクランク２５ａ，２５ｂ及び作動部材２６ａ，２６ｂを介してソレノイド２７ａ，２７ｂを連結し、該ソレノイドが動作することで該電動羽根２２ａ，２２ｂが図２に仮想線・実線で示したように起立状と傾動状（開状態）とに変動し、傾動状である時に遊技盤１面を流下する遊技球が捕捉され入球口２３ａ，２３ｂに夫々入球し得る。なお、２８は該入球口２３ａと入球口２３ｂとは枠体１５の上辺１５ａと突出板部３９との間隔に形成された隔壁で、該隔壁２８は該センター役物４の向かって左側寄りに形成され、左側の入球口２３ａに入球した遊技球は自重により枠体１５の上辺１５ａの一端部に形成された落下口２９ａに転がり、カウントスイッチ３０ａを通過しその下の傾斜棚３１上の左側寄りに落下し得るようにしている。また、右側の入球口２３ｂに入球した遊技球は自重により上辺１５ａ上を中央部に向けて転がり、取付基板１４の中央部に形成された落下口２９ｂから後方に落下し、カウントスイッチ３０ｂを通過してその下の傾斜棚３１上の中央に落下し得るようにしている。
【０００８】
傾斜棚３１は透明プラスチック板からなるもので、上記遊技室１６の中間高さ位置に横断状であって後方へ向けて緩やかに下傾するように設けられている。そして該傾斜棚の後縁は遊技球が落下し得る間隔３２を離して前記人形１８と相対する。また、該遊技室１６の床面３３は緩やかな前傾状に形成され、その前縁中央に特別入賞口（継続入賞口）３４を形成し、該特別入賞口に継続スイッチ３５を設けるとともに、該特別入賞口の両サイドにやや広めの普通入賞口３６ａ，３６ｂを形成している。
【０００９】
４０は前記人形１８の腹部に前方に進出可能に設けられたポケット形の進退動型電動部材、４１は該電動部材を進退動させるために設けられたソレノイドである。該人形１８の後側に相当する後側正面壁１７の裏側には遊技球が通過し得る通路４２が形成され該通路は該人形の股下部に開設された放出口４３に連通する。４４はソレノイド４５の作動により枢支部４６を支点として傾動するように支持された停留レバーで、その傾動により該停留レバーの先端４７が放出口４３と相対するように床面３３より出没し、放出口４３から放出された遊技球が該停留レバーにより一時停留されるように構成している。
【００１０】
また、図４に示されるように、５０は人形１８の両側で傾斜棚３１の両サイド奥部に設けられた半球殻状の回転型電動部材で、該回転型電動部材は減速器付モータ５１の回転軸５２に連繋され、該モータによって矢印の方向に低速回転する。該回転型電動部材５０には等間隔に透孔５４が形成され、傾斜棚３１上に落下した遊技球が該透孔５４からその内側に落下し得る。５５は後側正面壁１３の前記放出口４３の両側に開設されたサブ放出口、５６は透孔５４から落下した遊技球を該サブ放出口に導くために該電動部材５０内から該サブ放出口に至る傾斜状に形成した曲り通路である。
【００１１】
このセンター役物４では、左側の入球口２３ａに入球した遊技球は傾斜棚３１上の左側寄りに落下し、該傾斜棚３１上を後方に転がる。このため回転中の回転型電動部材５０の透孔５４中に転落し、透孔５４に転落した遊技球は図４に示したようにサブ放出口５５から床面３３上に放出され普通入賞口３６ａに入賞する公算が非常に高いが、傾斜棚３１上を後方に転がった遊技球が回転型電動部材５０に接触して弾かれ該傾斜棚３１上の中央に来た場合には特別入賞口３４に入賞するが、その確率は少ない。具体的には左側の入球口２３ａに入球した遊技球が特別入賞口３４に入賞する確率は１／１５となるように予め設定されている。
また、右側の入球口２３ｂに入球した遊技球は落下口２９ｂを通って傾斜棚３１上の中央に落下し、該傾斜棚上を後方に転がって前記間隔３２から人形１８の直前に落下する。そのときソレノイド４１の作動で進退動型電動部材４０が図３に破断線で示したように進出していると該遊技球が該電動部材４０によって受けられることから、ソレノイド４１の作動で該該電動部材４０が後退したときに該遊技球は通路４２を通って放出口４３に落下し、該放出口４３には破断線で示したように停留レバー４４の先端４７が突出していることから該遊技球は一時停留され、その後にソレノイド４５の作動により該先端４７が没することから該一時停留された遊技球が放出され床面３３の中央を真直ぐ前方に転がることで特別入賞口３４に入賞し継続スイッチ３５を作動させ易くなる。このように右側の入球口２３ｂに入球した遊技球が特別入賞口３４に入賞する確率は１／５となるように予め設定されている。なお、進退動型電動部材４０は進出している時間をより長く設定することにより特別入賞口３４に入賞する確率をさらに上昇させることができる。
【００１２】
また、図１に示したように、遊技盤１のセンター役物４よりも上部領域の中央に釘６０を複数本竪方向に並設して障壁６１を形成し、該障壁６１の上端と外レール２の下面との間に遊技球１個が通過し得る程度の通過間隙６２が形成されるようにしている。そして、打球発射装置から高速で発射され外レール２に沿って該遊技盤の上部領域に飛翔し該外レール２の下面から離れることなく到来した遊技球Ｂのみが該通過間隙を通過することにより遊技盤１の右側領域に導かれ右側領域を流下し、発射速度が遅くて途中で外レール２の下面から離れた遊技球Ａは障壁６１に当たって遊技盤１の左側領域を流下するようにしている。なお、６３は外レール２の終端部に遊技球を弾くように設けられたゴム等の弾性部材である。
【００１３】
図６はこのパチンコ遊技機のブロック図で、前記電動開閉始動口７を開閉動させるソレノイド７ａ、表示器１２、保留数表示ランプ１３、表示器２０、表示器２１、ソレノイド２７ａ，２７ｂ等がＣＰＵ，ＲＯＭ，ＲＡＭ，Ｉ／Ｏ等からなるマイクロコンピュータ６０の指令により作動するよう接続され、さらに該マイクロコンピュータ６０に前記カウントスイッチ３０ａ，３０ｂ、継続スイッチ３５、および前記通過ゲート６に設けられた球検出スイッチ６ａが接続され、夫々信号が入力されるようにしている。
【００１４】
このパチンコ遊技機では、遊技盤１の右側領域を流下する遊技球が通過ゲート６を通過し球検出スイッチ６ａによりその遊技球が検出されると、図柄表示器１２に表示された０〜９の数字が変動開始し、３０秒後にその変動が停止し、停止した数字が１，３，５，７，９等の奇数であった場合にソレノイド７ａが作動し電動開閉始動口７の翼片が０．８秒間程度開いて閉じる。なお、図柄表示器１２の数字が変動中であるときに通過ゲート６をまた遊技球が通過すると、通過したことが記憶され、保留数表示ランプ１３を点灯させる。該保留数表示ランプ１３は４つ設けられているので、４個以上記憶することはできず、記憶個数が４個をオーバーするとその通過検出は無効となる。そして、記憶された個数分が図柄表示器１２が変動停止した後に順にまた変動開始することとなる。
そして、上記のように電動開閉始動口７の翼片が開くと該電動開閉始動口７に遊技球が入賞可能になり、遊技球が該電動開閉始動口７に入賞することで所定数の賞球が払い出されると共に、前記ソレノイド２７ａ，２７ｂの作動により電動羽根２２ａ，２２ｂが短時間（０．８秒間程）開状態となることから、遊技球が入球口２３ａ，２３ｂに入球し得るようになる。
【００１５】
一方、遊技盤１の左側領域を流下する遊技球が始動入賞口５に入賞した場合も、所定数の賞球が払い出されると共に、前記ソレノイド２７ａ，２７ｂの作動により電動羽根２２ａ，２２ｂが短時間（０．８秒間程）開状態となり、遊技球が入球口２３ａ，２３ｂに入球し得るようになる。
【００１６】
そして、開状態となった左側の入球口２３ａから入球した遊技球は前記したように約１／１５の確率で特別入賞口３４に入賞し、開状態となった右側の入球口２３ｂから入球した遊技球は約１／５の確率で特別入賞口３４に入賞する。特別入賞口３４に遊技球が入賞すると所定数の賞球が払い出されるだけでなく大当たり状態が招来し、電動羽根２２ａ，２２ｂがさらに繰り返し継続的に繰り返し開閉するようになることから、入球口２３ａ，２３ｂに遊技球が非常に入球し易い状態となる。そして、入球した遊技球が特別入賞口３４または普通入賞口３６ａ，３６ｂに１０個入賞するか、もしくは電動羽根２２ａ，２２ｂが１８回開閉すると第１ラウンドが終り、その第１ラウンドの間に少なくとも１個の遊技球が特別入賞口３４に入賞していた場合は、第２ラウンドが開始されて第１ラウンドと同様に該電動羽根２２ａ，２２ｂの開閉がさらに繰り返され、以下同様に第１５ラウンドとなるまで該電動羽根２２ａ，２２ｂの開閉が繰り返される。これにより多数の遊技球を容易に入賞可能となり、多数の賞球（概略１０００個程度）が払い出された後にこの大当たり状態が終了する。なお、ドットマトリックス表示器２０および７セグ表示器２１には入賞球数やラウンド数が表示される。
【００１７】
次にこのパチンコ遊技機の本発明と関連ある作動をフローチャートにより説明する。このパチンコ遊技機では、上記のように大当たり状態が終了すると図７に示したように、変数Ｓを１００回とし、変動時間短縮モードが大当たり状態終了後に１００回続けられるように設定する。そして、図８に示したように、球検出スイッチ６ａにより通過ゲート６を通過する遊技球が検出されたとき、変数Ｓの残数に従い、残数がないとき（Ｓ＝０のとき）は、図柄表示器１２が上記のように３０秒間変動した後に停止する設定にすると共に、残数があるときは（Ｓ＞０のとき）は、図柄表示器１２が２秒間変動しただけで停止する設定（変動時間短縮モード）に設定されるようにする。なお、このような変動時間短縮モードは、設定される度に変数Ｓが減算されることから１００回限りで元の通常定時間モード、即ち、変動時間が３０秒に戻る。
【００１８】
このように、大当たり状態終了後は、一定期間、変動時間短縮モードとなることから、大当たり状態終了後は、遊技者が高速で遊技球を発射（いわゆる、右打ち）させ、上記遊技球Ｂのように専ら遊技盤１の右側領域に遊技球が流下するようにし、その遊技球が通過ゲート６をよく通過するようにすることにより、図柄表示器１２が短時間で停止し、電動開閉始動口７が頻繁に開動するようになる。即ち、通過ゲート６を頻繁に遊技球が通過するように、打球を高速で発射させ右側領域のみを遊技球が流下するようにしても、すぐに図柄表示器１２の変動が停止することから、変動記憶数をオーバーすることなく無駄にならずに電動開閉始動口７を頻繁に開動させられるので、該電動開閉始動口７に遊技球を入賞させることで上記のようにセンター役物４の入球口２３ａ，２３ｂが開き、さらに続けて右側領域に発射された遊技球を右側の入球口２３ｂに入球させ易くなる。右側の入球口２３ｂに入球した遊技球は上記のように落下口２９ａに転がることにより高い確率で特別入賞口３４に入賞し大当たりを招来させる。このため大当たり状態終了後は、どの遊技者も自然と有利な右打ちをするようになり、高確率で大当たりが招来し得るようになる。
【００１９】
一方、大当たり状態終了後、電動開閉始動口７が１００回に開動した後は、元の通常定時間モードに戻ることから、遊技者は低速で遊技球を発射（いわゆる、左打ち）して、前記遊技球Ａのように左側領域を流下させるようにすれば、該遊技球Ａが始動入賞口５に入賞し、センター役物４の入球口２３ａ，２３ｂが開き、さらに続けて左側領域に発射された遊技球を左側の入球口２３ａに入球させ易くなる。左側の入球口２３ａに入球した遊技球は上記のように特別入賞口３４に入賞する確率が右側の入球口２３ｂよりも低いので、続けて大当たりを招来させる確率は低いが、このように左打ちをすることによりその遊技球が始動入賞口５に入賞すれば、すぐに入球口２３ａ，２３ｂが開くことから、変動時間短縮モードで無くなった場合は、遊技者はその有利性から自然と左打ちをするようになる。
【００２０】
このように、本発明のパチンコ遊技機では、遊技者は大当たり状態が終了した後に右打ちをすることにより、電動開閉始動口７を頻繁に開動させられ、しかも、右側の入球口２３ｂに入球した遊技球は落下口２９ａに転がることにより高い確率で特別入賞口３４に入賞するので、続けて大当たりを招来させるチャンスが高くなる。このため、本発明のパチンコ遊技機によれば、従来のようにセンター役物内部の設定を変化させることで遊技者に止め打ちを誘発させるおそれもなく、大当たり状態終了後に引き続き遊技を継続させるに十分に有利な特典をどの遊技者にも公平に与えることができて個々の遊技者の持つ技術力の差による不公平感を生させるおそれがない。
【００２１】
なお、この実施形態では大当たり状態が終了した後の一定期間だけ変動時間短縮モードに従い図柄表示器１２が制御されるようにすることにより、電動開閉始動口７が頻繁に開動するようにしたが、大当たり状態が終了した後の一定期間だけ電動開閉始動口７を頻繁に開動するためにはその他の手段を採用してもよい。例えば、遊技球が通過ゲート６を通過し球検出スイッチ６ａによりその遊技球が検出された際に行われる図柄表示器１２の停止数字が１，３，５，７，９等の奇数に停止し易いようにし、電動開閉始動口７を開状態とする抽選確率を上昇させたり、或いは、電動開閉始動口７を開状態とする時間を上記のように通常時の０．８秒間よりも長く（例えば２秒間に）設定することで、遊技球が該電動開閉始動口７により入賞し易いようにすることもできる。
【図面の簡単な説明】
【００２２】
【図１】本発明に係るパチンコ遊技機の遊技盤の正面図。
【図２】本発明に係るパチンコ遊技機のセンター役物の正面図。
【図３】図２のＡ−Ａ線断面図。
【図４】図２のＢ−Ｂ線断面図。
【図５】図２のセンター役物の要部断面斜視図。
【図６】本発明に係るパチンコ遊技機のブロック図。
【図７】本発明に係るパチンコ遊技機のフローチャート。
【図８】本発明に係るパチンコ遊技機のフローチャート。
【符号の説明】
【００２３】
１                遊技盤０
２                外レール
３                内レール
４                センター役物
５                始動入賞口
６                通過ゲート
６ａ              球検出スイッチ
７                電動開閉始動口
７ａ              ソレノイド
１２              図柄表示器
１３              保留数表示ランプ
１６              遊技室
１８              人形
２２ａ，２２ｂ    電動羽根
２３ａ，２３ｂ    入球口
２７ａ，２７ｂ    ソレノイド
２８              隔壁
３１              傾斜棚
３３              床面
３４              特別入賞口（継続入賞口）
３６ａ，３６ｂ    普通入賞口
４０              進退動型電動部材
４１              ソレノイド
５０              回転型電動部材
６０              釘
６１              障壁
６２              通過間隙
６３              弾性部材
【図１】
2007307208.tif 000003
【図２】
2007307208.tif 000004
【図３】
2007307208.tif 000005
【図４】
2007307208.tif 000006
【図５】
2007307208.tif 000007
【図６】
2007307208.tif 000008
【図７】
2007307208.tif 000009
【図８】
2007307208.tif 000010